(57)【要約】      （修正有）【課題】不使用時と運搬時は、外部環境の障害物から収納されたボンベ等を保護し、使用時は、使用時の液化ガス材の気化による冷却に対して、ボンベに熱を与えるように外気からの空気の流入を与えるようにして気化が効果的に行われるようにした携帯用のガス供給装置を提供する。【解決手段】不使用時と運搬時は、外部環境の障害物からカセットボンベを保護するため外装カバー１１３で覆われ、使用時は、使用時のカセットボンベ内のガス材の気化による冷却を回避するように、カセットボンベを外気に露出するように外装カバー１１３を開放可能とする。【選択図】図１
0003185230.tif 000002
【実用新案登録請求の範囲】
【請求項１】
複数のカセットボンベを横向きに寝かせて縦又は及び横方向に複数個並べて搭載可能なボンベ収納部と、各カセットボンベからのガスを送るための複数の配管とこれを集合して接続された集合配管に接続したガス圧調整のためのレギュレータ及び、前記ガスの供給／停止を行う開閉バルブとを備えた配管収納部と、前記配管に接続し、逆止弁を備え、前記ボンベ収納部の前記カセットボンベを装着するため前記ボンベ収納部は、ノズル接続口とを有し、少なくとも、前記ボンベ収納部は、
不使用時と運搬時は、外部環境の障害物から前記カセットボンベを保護するため外装カバーで覆われ、使用時は、使用時の前記カセットボンベ内の前記ガス材の気化による冷却を回避するように、前記カセットボンベを外気に露出し、外気からの空気の流入を与え、前記カセットボンベに空気による熱を与えるように前記外装カバーを開放可能としたことを特徴とする携帯用ガス供給装置。
【請求項２】
前記ボンベ収納部は、空気の流れを円滑にし、軽量にするため、前記カセットボンベを搭載する搭載台と前記外装カバーを保持する薄片又は線による枠で構成したフレーム構造を有することを特徴とする請求項１記載の携帯用ガス供給装置。
【請求項３】
前記ボンベ収納部は、前記ノズル接続口に前記カセットボンベを取り付け又は外す場合に、前記ボンベ収納部を開閉するボンベ収納部扉を備え、ボンベ収納部扉の閉じる動作で、
前記カセットボンベの各々について前記ガスの出口とは反対側のボンベ底を一括して押し付けることを可能とするようにボンベ収納部扉の内側に、前記底を押し付ける弾性押付手段を前記カセットボンベの各底の対応位置に備えたことを特徴とする請求項１又は請求項２記載の携帯用ガス供給装置。
【請求項４】
前記フレーム構造は、細線を格子に組んだ構造であることを特徴とする請求項２又は請求項３記載の携帯用ガス供給装置。
【請求項５】
前記ボンベ収納部は、前記ボンベ収納部扉側から前記フレーム構造のフレームに装着又は取り外し自在で、前記カセットボンベを搭載した際に前記カセットボンベを径方向に押える押え片を備えたボンベ搭載板を有することを特徴とする請求項１から請求項４のいずれか１つに記載の携帯用ガス供給装置。
【考案の詳細な説明】
【技術分野】
【０００１】
本考案は、複数のカセットボンベが搭載可能で、かつガス供給時の気化熱によるカセットボンベの冷却を軽減可能な、携帯用ガス供給装置に関するものである。
【背景技術】
【０００２】
従来、携帯用のガス供給装置としては図４のようなものが提案され、特許文献１に見ることができる。図４のガス供給装置は、略三角柱のケースの内部をガスボンベ収納部と配管収納部に分け、それぞれガスボンベとガスの配管を収納している。ここでガスボンベ収納部の壁面には複数の穴が開いているが、これはケースが安全性・耐久性を有する一方で、ガスボンベ使用時に気化熱によりガスボンベが冷却するのを軽減するための通気孔である。この通気孔により、ケース内部の冷たい空気と暖かい外気が交換されることになる。
【０００３】
ところが前記のガス供給装置はあくまで安全性や耐久力を重視したものであり、通気孔によるカセットボンベの冷却軽減では穴の大きさや数に制限があった。例えば、通気孔を大きくすると、構造上の耐久力を上げるためには、外装の材料の厚みを増やすことになり、重くなり、特に不都合な観点では、大きい通気孔では、運搬時に内部に収納されたボンベを外からの障害物に対する保護性能が低下する欠点が大きくなるため、通気孔を大きくことは好ましくなかった。即ち、障害物が通気孔を突き抜けてきてボンベに応力を与えたり、虫が侵入して産卵したりして、好ましくない影響がでる恐れがあった。
【先行技術文献】
【特許文献】
【０００４】
【特許文献１】実開平５−９０１３５
【考案の概要】
【考案が解決しようとする課題】
【０００５】
したがって、不使用時と運搬時は、外部環境の障害物から収納されたボンベ等を保護し、使用時は、使用時の液化ガス材の気化による冷却に対して、ボンベに熱を与えるように外気からの空気の流入を与えるようにして気化が効果的に行われるようにした携帯用のガス供給装置を提供することである。
【課題を解決するための手段】
【０００６】
本考案の携帯用ガス供給装置は、不使用時と運搬時は、外部環境の障害物から前記カセットボンベを保護するため外装カバーで覆われ、使用時は、使用時の前記カセットボンベ内の前記ガス材の気化による冷却を回避するように、前記カセットボンベを外気に露出し、外気からの空気の流入を与え、前記カセットボンベに空気による熱を与えるように前記外装カバーを開放可能とする。
以下、請求項に沿って記述する。
【０００７】
請求項１記載の考案は、携帯用ガス供給装置であって、
複数のカセットボンベを横向きに寝かせて縦又は及び横方向に複数個並べて搭載可能なボンベ収納部と、各カセットボンベからのガスを送るための複数の配管とこれを集合して接続された集合配管に接続したガス圧調整のためのレギュレータ及び、前記ガスの供給／停止を行う開閉バルブとを備えた配管収納部と、前記配管に接続し、逆止弁を備え、前記ボンベ収納部の前記カセットボンベを装着するため前記ボンベ収納部は、ノズル接続口とを有し、少なくとも、前記ボンベ収納部は、
不使用時と運搬時は、外部環境の障害物から前記カセットボンベを保護するため外装カバーで覆われ、使用時は、使用時の前記カセットボンベ内の前記ガス材の気化による冷却を回避するように、前記カセットボンベを外気に露出し、外気からの空気の流入を与え、前記カセットボンベに空気による熱を与えるように前記外装カバーを開放可能としたことを特徴とする。
【０００８】
請求項２記載の考案は、請求項１記載の携帯用ガス供給装置において、
前記ボンベ収納部は、空気の流れを円滑にし、軽量にするため、前記カセットボンベを搭載する搭載台と前記外装カバーを保持する薄片又は線による枠で構成したフレーム構造を有することを特徴とする。
【０００９】
請求項３記載の考案は、請求項１又は請求項２記載の携帯用ガス供給装置において、
前記ボンベ収納部は、前記ノズル接続口に前記カセットボンベを取り付け又は外す場合に、前記ボンベ収納部を開閉するボンベ収納部扉を備え、ボンベ収納部扉の閉じる動作で、
前記カセットボンベの各々について前記ガスの出口とは反対側のボンベ底を一括して押し付けることを可能とするようにボンベ収納部扉の内側に、前記底を押し付ける弾性押付手段を前記カセットボンベの各底の対応位置に備えたことを特徴とする。
【００１０】
請求項４記載の考案は、請求項２又は請求項３記載の携帯用ガス供給装置において、
前記フレーム構造は、細線を格子に組んだ構造であることを特徴とする。
【００１１】
請求項５記載の考案は、請求項１から請求項４のいずれか１つに記載の携帯用ガス供給装置において、
前記ボンベ収納部は、前記ボンベ収納部扉側から前記フレーム構造のフレームに装着又は取り外し自在で、前記カセットボンベを搭載した際に前記カセットボンベを径方向に押える押え片を備えたボンベ搭載板を有することを特徴とする。
【考案の効果】
【００１２】
以上のように構成されているので、本考案による携帯用ガス供給装置は、不使用時と運搬時は、外部環境の障害物から収納されたボンベ等を保護し、使用時は、使用時の液化ガス材の気化による冷却に対して、ボンベに熱を与えるように外気からの空気の流入を与える。
【図面の簡単な説明】
【００１３】
【図１】本考案による携帯用ガス供給装置の一実施態様を示す図である。
【図２】本考案による携帯用ガス供給装置のボンベ収納部の一実施態様を示す図である。
【図３】本考案にかかる携帯用ガス供給装置の他の一実施態様を示す図である。
【図４】従来の携帯用ガス供給装置を示す図である。
【考案を実施するための形態】
【００１４】
本考案の携帯用ガス供給装置は、ガス燃焼器具に使用する燃料ガスの供給源であり、本体であるケースが、複数のカセットボンベを横向きに寝かせて縦又は及び横方向に複数個並べて搭載可能なように、カセットボンベの逆止弁を備えたノズル接続口と、ボンベを横臥状態に支持する支持具を備えたボンベ収納部と、そして各カセットボンベから取り出すガスを送り出すための配管、ガス供給の開閉バルブ、ガス圧を一定に保つレギュレーターを収納する配管収納部を備え、
少なくともボンベ収納部は、
不使用時と運搬時は、外部環境の障害物から収納されたカセットボンベを保護するため外装カバーで覆われ、使用時は、使用時の液化ガス材の気化による冷却に対して、カセットボンベに熱を与えるように外気からの空気の流入を与えるために外装カバーを開放してカセットボンベを外気に露出するようにしたことを特徴とする。
以下、図に沿って説明する。
【００１５】
図１は、本考案にかかる携帯用ガス供給装置の一実施態様を示す図である。
１−Ａで、携帯用ガス供給装置１００全体を示す。複数本のカセットボンベ１０１を収納するボンベ収納部１１０と配管収納部１２０を備え、ボンベ収納部１１０は、カセットボンベ１０１を横臥状態に支持する支持具１１１と、カセットボンベを差し込みまわすことで接続でき、配管へ繋がった、逆止弁付きのノズル接続口１１２を備え、
配管収納部１２０は、各ノズル接続口１１２に繋がった配管１２１とこれに繋がるガス圧を設定するためのレギュレータ（圧力調整器）１２２、更にそこからガス供給口１２３の間にある開閉バルブ１２４を備えている。１−Ａでは、ボンベ収納部１１０の外装カバー１１３が閉じられた状態を示しているので、内部に隠れた支持具１１１は表示されていない。
１−Ｄ、１−Ｅ、１−Ｆいずれにおいても、外装カバー１１３が開かれた状態では、支持具１１１が示されているが、この例では、カセットボンベ１０１を載せる搭載座１１１Ａとカセットボンベ１０１を横から抑える押え片１１１Ｂを有する図となっているがその他の形状でもかまわない。更に、この例では、ボンベ収納部１１０には、ノズル接続口１１２とは反対側にボンベ収納部扉１３０がある。
１−Ｂと１−Ｃには、ボンベ収納部扉１３０の例を示す。
ボンベ収納部扉１３０には、カセットボンベ１０１の底側をノズル接続口１１２のある方向に押し付ける押付具を備えているので、これも支持具１１１の役割をしている。
１−Ｂ、１−Ｃでは、ボンベ収納部扉１３０をボンベ収納部１１０から取り付け又は開放するときの固定又は外すための蝶番やラッチ等の締結具１３１が付いている。１−Ｃでは、ボンベ収納部扉１３０の扉板に直接、カセットボンベ１０１の底に当たり押し圧するバネ、クッション等の弾性押付手段１３２が、各カセットボンベ１０１の底が当たる対応位置に備えられている。１−Ｂでは、ボンベ収納部扉１３０の扉板とクッション等の弾性押付手段１３２を介して１枚の押付板１３３があり、この押付板１３３が各カセットボンベ１０１の底を押すようになっている。この図のように、押付板１３３には、各カセットボンベ１０１の底が当たる対応位置にカセットボンベ１０１の底の窪みの形状に沿った突起部１３４を有すると、カセットボンベ１０１の底に嵌って有効に押し支持することができる。
尚、この図の形状や取り付け位置にこだわらないが取っ手１１４を備えると持ち運びに便利である。
【００１６】
１−Ａのように、外装カバー１１３が閉じられた状態では、保管や運搬時であって、収納された各カセットボンベ１０１は、外部の障害物から有効に保護されている。
しかしながら、ガスを使う使用時には、このままで使うと、ガスが気化して使い始めた時点から気化熱をカセットボンベ１０１およびボンベ収納部１１０から奪い、冷えていき、温度はどんどん低下する。温度が低くなるにつれ気化熱が奪えなくなると当然、気化は有効にされなくなり、それは、外装カバー１１３等のカバーを通じた外気との熱の自然伝導の量で制限を受けてしまう。本願では、この制限を回避して、保管や運搬時にはカセットボンベ１０１を外部の障害物から保護しつつ、使用時には、上記の制限を回避できる。
１−Ｄ、１−Ｅ、１−Ｆでは、１−Ａのものの使用状態を示している。
１−Ｄでは、上面の外装カバー１１３Ａが開き可能になっていて、この例では、横にスライドして開いた状態である。１−Ｅでは、更に、側面の外装カバー１１３Ｂが横開き可能となっていて、開いた状態であり、１−Ｆでは、側面の外装カバー１１３Ｂが縦又は及び横開き可能となっていて、開いた状態である。
いずれも、使用時には、カセットボンベ１０１が外気に露出して有効に気化を行わせガスを利用することができる。
【００１７】
尚、ボンベを支持する台座や外装カバーを保持する構造について好ましい構成の例を図２に述べる。２−Ａでは、フレーム構造で構成されたボンベ収納部１１０部分のみを示す。
フレームは、軽量と堅牢性を備えるため、アルミ等の軽量金属又はプラスティックや、針金（金属線）を用いることができる。この例では、３段にカセットボンベ１０１を収納できるようにしてある。２−Ｂでは、３個のカセットボンベ１０１を横に並べてセットでき、カセットボンベ１０１を支持する支持具１１１を備えたボンベ搭載板１４０の例を示す。２−Ｂではカセットボンベ１０１を置く台の形状が平坦であるが、２−Ｃでは、カセットボンベ１０１の外側形状の曲面に応じた曲面板１５０で構成されている。
２−Ｄでは、フレーム構造のボンベ収納部１１０にボンベ収納部扉１３０のある側から２−Ｂのボンベ搭載板１４０を中途まで挿入している図を示す。尚、２−Ｅでは、９個のカセットボンベ１０１に対応するボンベ搭載板１４０を挿入したものをボンベ収納部扉１３０のある側から覗いた図である。支持具１１１を備えたボンベ搭載板１４０とその真ん中で、ボンベ収納部１１０と配管収納部１２０の間にあるノズル接続口１１２が示されている。
【００１８】
次に、フレーム構造を更に変形した格子構造の例を以下に示す。上記の例で、針金（金属線）でフレーム構造を作ったものは、格子構造になる。図を見やすくするため、カセットボンベ１０１を３本上下に重ねたもので記述するが、これにこだわるものではない。
図３は、本考案にかかる携帯用ガス供給装置の他の一実施態様を示す図である。
３−Ａにおいて、本体ケースである携帯用ガス供給装置１００には、複数のカセットボンベを横向きにして上下又は横方向に並べて搭載可能なボンベ収納部１１０と、各カセットボンベ１０１から取り出したガスを送る配管、ガスの供給／遮断ための開閉バルブ、ガス圧を一定に保つレギュレータを収納する配管収納部１２０の２つが存在し、両者が、ケースの長手方向において、配管収納部１２０の一部である壁を隔てて分かれている。
ボンベ収納部１１０は、針金のような細い線で格子状に作られたフレームの枠で、内側は横向きのカセットボンベ１０１を上下又は横方向に並べて設置できるように複数個（この図では上下に３段）に分かれており、各カセットボンベ１０１のノズルを受けるためのノズル接続口１１２を、配管収納部１２０との境の壁面上に有している。カセットボンベ１０１は３本セットで販売されることが多いため、３本以上収納できると好都合である。持ち運びをする際は、天井面の枠に指を入れて掴むことができるが、この天井面を枠でなく平面にして、取手を付けても良い。また、カセットボンベ１０１の底部側の面には、カセットボンベの底部を受けて支持するための板であるボンベ支持板１６０が取り付けられており、ボンベ支持板１６０には、カセットボンベの底部を受けて、ノズルをノズル接続口に嵌合させるためにカセットボンベを押圧するための弾性押付手段１３２が取り付けられている。カセットボンベ１０１の周囲のケース枠が格子状であるため、空気の交換効率がケースに穴を開けるよりも格段に向上しており、格子の目が細かい程耐久力が上がる。尚、ボンベ支持板１６０は、ボンベ収納部扉１３０と同じである。横方向に２列までしかカセットボンベ１０１を収容しない場合には、ボンベ支持板１６０は、必ずしもボンベ収納部扉１３０とならなくともよい。横から搭載できるからである。
配管収納部１２０は、各ノズル接続口１１２に逆支弁が連結しており、ガス供給管、開閉バルブ１２４、ガス圧を調節するためのレギュレータ１２２に繋がっている。開閉バルブ１２４はガスの元栓であり、ケースの外壁に、調節するためのハンドルが設けられている。また、ケースの外壁に、ガスを外部に排出するガス供給口１２３が突き出している。
【００１９】
３−Ｂにおいては、本考案による携帯用ガス供給装置の断面図を示す図である。
ボンベ収納部１１０において、横向きに設置されたカセットボンベ１０１は、底部の凹み部分がボンベ支持板１６０に取り付けられた弾性押付手段１３２に嵌り、弾性押付手段１３２の押圧により、ノズルがノズル接続口１１２に接続され、カセットボンベ１０１が固定される。
配管収納部１２０では、ボンベ収納部１１０のノズル接続口１１２にガスの逆流を防ぐための弁である逆支弁１２５が連結しており、更に逆支弁１２５は各カセットボンベ１０１からのガスを送るための配管である配管１２１、ガスの開閉を調節する開閉バルブ１２４、ガス圧を一定に保つ機構であるレギュレータ１２２に繋がっている。逆支弁１２５は弾性押付手段１３２の押圧でノズルにより開かれ、ノズルが嵌合していない状態では、ガスがノズル接続口１１２から漏れないようになっている。ガスは配管１２１を通り、ケースの外壁に設けられたガス供給口１２３から排出される。
【産業上の利用可能性】
【００２０】
以上のように本考案による携帯用ガス供給装置は、不使用時と運搬時は、外部環境の障害物から収納されたボンベ等を保護し、使用時は、使用時の液化ガス材の気化による冷却に対して、ボンベに熱を与えるように外気からの空気の流入を与えることができるため、産業上の利便性が極めて大きい。
【符号の説明】
【００２１】
１００  携帯用ガス供給装置
１０１  カセットボンベ
１１０  ボンベ収納部
１１１  支持具
１１１Ａ  搭載座
１１１Ｂ  押え片
１１２  ノズル接続口
１１３  外装カバー
１１３Ａ  上面の外装カバー
１１３Ｂ  側面の外装カバー
１１４  取っ手
１２０  配管収納部
１２１  配管
１２２  レギュレータ
１２３  ガス供給口
１２４  開閉バルブ
１２５  逆支弁
１３０  ボンベ収納部扉
１３１  締結具
１３２  弾性押付手段
１３３  押付板
１３４  突起部
１４０  ボンベ搭載板
１５０  曲面板
１６０  ボンベ支持板
【図１】
0003185230.tif 000003
【図２】
0003185230.tif 000004
【図３】
0003185230.tif 000005
【図４】
0003185230.tif 000006